(57)【特許請求の範囲】
【請求項１】
表示部を有し現金の入出金処理を行うと共に、本日分の入出金データと翌日分の入出金データを区別して管理する現金処理機であり、電源ＯＮ状態で日付が変わった場合、少なくとも入出金処理に入る前に日付変更表示を前記表示部に表示する機能を具備したことを特徴とする現金処理機。
【請求項２】
前記日付変更表示の表示と共に、翌日分の入出金データを本日分の入出金データへデータ移行するか、或いはデータ移行することなくそのまま継続して処理するかを選択させるための選択表示を前記表示部に表示し、前記データ移行が選択された場合には、翌日分の入出金データを本日分の入出金データへデータ移行するデータ移行処理を行うようになっている請求項１に記載の現金処理機。
【請求項３】
前記データ移行処理に先立ち、日付チェックとデータクリアチェックを行い、本日分の入出金データの日付と本日の日付が異なり、かつ本日分の入出金データのクリア処理が行われていない場合に、クリア忘れの表示を行うようになっている請求項２に記載の現金処理機。
【請求項４】
前記日付チェック及びデータクリアチェックと、前記データ移行処理とが現金処理機の再起動処理において行われるようになっている請求項３に記載の現金処理機。
【発明の詳細な説明】
【０００１】
【発明の属する技術分野】
本発明は、金融機関等に設置される現金の入出金を管理する出納機のような現金処理機に関する。
【０００２】
【従来の技術】
従来銀行等の金融機関では、店内の現金の入出金を管理する現金処理機として出納機が設けられており、出納機を用いて、窓口担当者は窓口の入出金機へ現金を回す回出金を行ったり、窓口の入出金機から回収してくる回入金を行ったりしている。また、出納担当者は大口の入出金取引を直接出納機を用いて行い、渉外員は渉外先（顧客先）へ持出す出金処理や、渉外先から持ち帰った現金等の入金処理を行っている。
【０００３】
このような現金処理機は、通常当日の入出金処理を勘定日の入出金処理として管理集計すると共に、例えば渉外員が翌日持出す出金処理を翌日分の出金処理として、前もって処理したデータを管理集計するという２種類のデータを管理集計するようになっている。
【０００４】
図１０に示すように当日分（３日）の入出金処理が終了した時点で、管理者が当日（３日）の締上げ集計を行い、締上げ表を作成してデータと現物の一致がとれた時点で本部等へ報告した後、勘定日（３日）のデータをクリアするようになっている。データクリア後は締内の処理は禁止され、３日分の入出金処理は行うことができない。これに対し、締上げ表の作成及びデータクリアが終了した後も、翌日分（４日）のデータを続けて処理することができ、全ての処理が完了した時点で機械の電源を落として（ＯＦＦ）帰宅するようになっている。
【０００５】
そして、翌日（４日）の朝一番に機械の電源を入れる（ＯＮ）と共に、起動処理において勘定日（３日）の日付と本日（４日）の日付が一致しているかのチェックを自動的に行い、異なっていれば勘定日（３日）のデータがクリアされていることを条件に、前日(３日)に入力した翌日分のデータを勘定日（４日分）データへ移行するデータ移行処理を行うようになっている。その後、本日分（４日）の入出金処理と翌日分（５日）の出金処理とを並行して行い、それぞれ管理集計するようになっている。
【０００６】
また、当日分(３日)のデータがクリアされずに翌日（４日）になった場合は、図１１に示すように「クリア忘れ」の表示を行い、オペレータにクリア処理を促すようになっている。データのクリア忘れに気付きデータをクリアすると、翌営業日（４日）の確認を行ってデータ移行処理が行われ、その後は前日と同様に本日分（４日）のデータと翌日分（５日）のデータをそれぞれ管理集計できるようになっていた。
【０００７】
【発明が解決しようとする課題】
上述のような現金処理機においてデータクリアはしても電源を切り忘れた場合、図１２に示すように起動処理が行われないためにデータ移行処理が行われず、当日分（４日）のデータ入力ができないことから異常に気付くことになる。つまり、朝一番に来た人が、電源を他の人が今朝入れたと勘違いしたとしても、前日（３日）に既にデータクリアはされているため、締内の処理が禁止されたままであり、入出金ができないことから装置の異常に気付くことになる。異常に気付いてから電源を一旦ＯＦＦし、その後にまたＯＮすれば装置は再起動され、データ移行処理も行われるので、以後は通常の入出金処理を行うことができる。
【０００８】
ここで、締上げのクリア忘れと電源の切り忘れの両方が重なった場合、日付が変わっても図１３に示すように、前日（３日）からの続きとして当日分（４日）もデータ入力が可能であり、異常に気付かないまま入出金の処理がされるという問題があった。つまり、勘定４日のつもりで入金したものが、実際は３日の勘定となってしまったり、勘定日４日のつもりで入金したデータがクリアされてしまい、取引そのものが消失してしまうことも考えられる。また、５日の出金のつもりの翌日出金が、４日の出金となったりしてしまう問題がある。
【０００９】
本発明は上述のような事情によりなされたものであり、本発明の目的は、午前０時を過ぎて日付変更となった場合に、日付変更表示を行うことによって、クリア忘れ及び電源の切り忘れがあっても誤って処理しないようにした現金処理機を提供することにある。
【００１０】
【課題を解決するための手段】
本発明は、表示部を有し現金の入出金処理を行うと共に、本日分の入出金データと翌日分の入出金データを区別して管理する現金処理機に関し、本発明の上記目的は、電源ＯＮ状態で日付が変わった場合、少なくとも入出金処理に入る前に日付変更表示を前記表示部に表示する機能を具備することによって達成される。
【００１１】
また、本発明の上記目的は、前記日付変更表示の表示と共に、翌日分の入出金データを本日分の入出金データへデータ移行するか、或いはデータ移行することなくそのまま継続して処理するかを選択させるための選択表示を前記表示部に表示し、前記データ移行が選択された場合には、翌日分の入出金データを本日分の入出金データへデータ移行するデータ移行処理を行うことにより、或いは前記データ移行処理に先立ち、日付チェックとデータクリアチェックを行い、本日分の入出金データの日付と本日の日付が異なり、かつ本日分の入出金データのクリア処理が行われていない場合に、クリア忘れの表示を行うことにより、或いは前記日付チェック及びデータクリアチェックと、前記データ移行処理とが現金処理機の再起動処理において行われるようにすることにより、より効果的に達成される。
【００１２】
【発明の実施の形態】
本発明では、電源ＯＮの状態で午前０時を過ぎ日付変更になった場合、表示部に日付変更表示を行って再起動のための操作を促すようになっている。待機画面に従ってカード又はコードを入力することによって操作画面となり、操作画面で再起動を指示することによってデータ移行処理も自動的に行われ、日付変更後の入出金処理を行うことができる。このため、勘定日の入出金データを前日分の処理データとして処理してしまうようなトラブルの発生を防止することができる。また、電源切り忘れの表示（日付変更表示）により、明確に日付更新をする必要のあることが分かり、再起動を促されるので、前日の続きとして処理されてしまうことがない。
【００１３】
図１は本発明の現金処理機１の外観構成例を示しており、結束された１００枚単位毎の束紙幣を処理する束紙幣処理部１０及び１枚ずつのバラ紙幣を処理するバラ紙幣処理部２０で成る紙幣処理機３０と、５０枚単位に包装された包装硬貨を出金処理する包装硬貨出金機４０と、バラ硬貨を処理するバラ硬貨処理機５０とで構成されており、束紙幣処理部１０には、束紙幣を出金するための束紙幣出金口１１、束紙幣を機外へ放出さるための機外放出口１２が設けらている。また、バラ紙幣処理部２０にはバラ紙幣を入金するための入金口２１、バラ紙幣を出金するための出金口２２が設けら、紙幣処理機３０の上部には出金口３２を有する新券出金機３１が設置されている。
【００１４】
包装硬貨出金機４０の上部には伝票や通帳等の印字を行うプリンタ４１が設けられ、包装硬貨を出金する包装硬貨出金口４２が設けられている。また、バラ硬貨処理機５０の上部にはバラ硬貨を受入れる硬貨入金口５１が設けられると共に、オペレータに案内やデータ等を表示する表示部５２、ＩＤカードを挿入して処理するカードリーダ５３、現金以外の手形等を投入する現外ポスト５４が設けられている。バラ硬貨処理機５０の前面には、バラ硬貨を返却するための返却口５６が設けられている。更に、包装硬貨出金機４０及びバラ硬貨処理機５０の上部には、オペレータが操作するデータ入力部としてのキーボード５５が設けられている。
【００１５】
図２は本発明の現金処理機１の内部構成例を示しており、ＲＯＭ３に格納されたプログラムに従って全体の制御を行うＣＰＵ（演算処理部）２が設けられており、このＣＰＵ２には、新券出金機３１の制御部３１１、束紙幣処理部１０の制御部１０１、バラ紙幣処理部２０の制御部２０１、包装硬貨出金機４０の制御部４０１、バラ硬貨処理機５０の制御部５０１が接続され、更にプリンタ４１、表示部５２、キーボード５５、カードリーダ５３が接続され、処理のためにデータ（例えば区別された本日分の入出金データ、翌日分の入出金データ）を保持する不揮発性メモリ４が接続されている。
【００１６】
新券出金機３１の制御部３１１はＣＰＵ２に従って、きれいな新券紙幣を出金口３２に投出する制御を行い、束紙幣処理部１０の制御部１０１はＣＰＵ２に従って、束紙幣を束紙幣出金口１１又は機外放出口１２に投出する制御を行う。また、包装硬貨出金機４０の制御部４０１はＣＰＵ２に従って、包装硬貨を包装硬貨出金口４２に投出する制御を行う。更に、バラ紙幣処理部２０の制御部２０１はＣＰＵ２に従って、入金口２１に投入されたバラ紙幣を識別、計数して収納したり、出金用バラ紙幣を出金口２２に投出する制御を行い、バラ硬貨処理機５０の制御部５０１はＣＰＵ２に従って、硬貨入金口５１に投入されたバラ硬貨を識別、計数して収納したり、返却用バラ硬貨を返却口５６に投出する制御を行う。
【００１７】
このような構成において、その動作を以下に説明する。
【００１８】
現金処理機１の正常動作は前述と同一であり、現金処理機１の使用に当ってはオペレータが所定のＩＤカードをカードリーダ５３に挿入するか、所定のＩＤコードをキーボード５５から入力して、入力データの確認による認証をとってから起動するようになっている。かかる認証はカードリーダ５３からのデータをＣＰＵ２が読取ったり、キーボード５５から入力されたデータをＣＰＵ２が読取ることによって行われる。
【００１９】
現金処理機１の起動後は、図１０に示すように勘定日（３日）に本日分（勘定日）の入出金処理や翌日分の入出金処理を行い、前述と同様な処理を行う。そして、勘定日の締上げ処理を行った後に、本日分のデータクリアを行い、電源をＯＦＦして帰宅する。これが一般的な動作であるが、図３に示すように勘定日（３日）に締上げとクリアを忘れ、且つ電源の切り忘れがあると、本発明の現金処理機１では午前０時が過ぎ日付変更となった翌日（４日）に、入出金処理を行おうとすると、表示部５２に「日付変更表示」を表示する。つまり、電源切り忘れの状態のまま帰宅して、翌朝別のオペレータが電源の入ったままの現金処理機１を使用して入出金処理を行おうとした場合（なお、使用するオペレータが特定されていないので、電源が入っていれば朝に誰かが電源を入れたものと判断する）、本例では図４に示す待機画面が表示部５２に表示された状態で、現金処理機１を使用しようとするオペレータが所定のＩＤカードをカードリーダ５３に挿入するか、キーボード５５から所定のＩＤコードを入力する。この入力によって認証がとれると、図５に示すような操作画面に切換える。
【００２０】
操作画面には「日付が変わっています。」が表示される。これによって、オペレータは勘定日のデータの日付と本日の日付が変わっていること、つまり勘定日は３日であるが既に４日になっていることを知ることができる。これと共に、「再起動を行いますか？」が表示されており、再起動を指示することができる。本例では、再起動により翌日分の入出金データを本日分（勘定日）の入出金データへ移行するデータ移行処理が行われるようになっている。詳細については後述する。
【００２１】
図５に示す操作画面で「再起動」を行う場合には、「１．はい」を指示する。この指示はキーボード５５で行われる。また、図５に示す画面で「２．いいえ」を指示した場合は、図６に示すメインメニュー画面となる。このメインメニュー画面によって通常の入金、出金、翌日入金、翌日出金等を続けて行うことができる。つまり、残業などによって遅くなり日付が変わってしまった場合などには、「２．いいえ」を選択することによって再起動処理（データ移行処理）を行わず、図３に示すように日付が４日に変わった後も３日のデータを本日分の入出金データとして、また４日のデータを翌日分の入出金データとして、それぞれ処理することができるようになっている。
【００２２】
次に、締上げ処理について図７のフローに従って説明する。締上げ処理は本日分（勘定日）のデータを集計し勘定日の取引を完了するものである。即ち、キーボード５５から締上表の出表を指示すると、プリンタ４１は締上表の出表処理を行い（ステップＳ１）、出表フラグをＯＮして終了する（ステップＳ２）。この出表フラグは、本日分のデータの締上げ処理が行われたか否かの判断ができるようにしておくためのものである。
【００２３】
次に、クリア処理について図８のフローに従って説明する。クリア処理は本日分のデータをクリアするもので、先ずＣＰＵ２は出表フラグの状態によって帳票を出表したか否かを判定し（ステップＳ２０）、出表していない場合は「帳票出表していませんがよろしいですか？」の表示を行い（ステップＳ２１）、図５の操作画面で「２．いいえ」を選択したか否かを判定する（ステップＳ２２）。そして、「２．いいえ」を選択した場合にはクリア処理を抜け、図６のメニュー画面に進行し（ステップＳ２７）、メニュー画面に従って締上げ処理からやり直すか、或いは締上げ処理を行うことができる上位者へ連絡して締上げ処理を行ってもらうことになる。上記ステップＳ２２で「２．いいえ」を選択しない場合は、更に「１．はい」が選択されるまで待機する（ステップＳ２３）。「１．はい」が選択されるとクリア前データの印字出表がプリンタ４１でなされ（ステップＳ２４）、その後に本日分のデータを自動的にクリアし（ステップＳ２５）、出表フラグをＯＦＦして（ステップＳ２６）、終了する。また、上記ステップＳ２０で帳票の出表がなされている場合には、上記ステップＳ２４に進む。
【００２４】
次に、再起動処理について図９のフローに従って説明する。再起動処理は通常現金処理機においてエラー等が生じた場合に行うもので、本例では再起動処理の中で本発明のデータ移行処理が行われるようになっており、また、そのデータ移行処理を行うべきか否かを判断するために、勘定日の日付と本日の日付が一致しているかの日付チェックと勘定日のデータがクリアされているか否かのデータクリアチェックを行うようになっている。
【００２５】
即ち、先ずＣＰＵ２はプログラムの再ロードで各部のチェックを行い（ステップＳ１０）、本日分の入出金データの日付（勘定日）と本日の日付が一致しているか否かを判断し（ステップＳ１１）、本日が勘定日であれば終了となる。また、上記ステップＳ１１で本日が勘定日でない場合には、本日分の入出金データがクリア済みであるか否かを判断し（ステップＳ１２）、クリア済みであればデータ移行処理をして、翌日分の入出金データを本日分の入出金データへ移行する（ステップＳ１３）。また、上記ステップＳ１２でデータがクリア済みとなっていない場合には、「クリア忘れ」を図６の右上部のように表示する（ステップＳ１４）。
【００２６】
以上の実施例では、現金処理機の起動をＩＤカードの挿入又はＩＤコードの入力によって行うようにしているが、正規なオペレータであることの認証がとれる手法であれば良い。また、日付変更表示をオペレータの認証がとれた後に操作画面にて行うようにしているが、オペレータが日付変更を確認できるような手法であれば良い。現金処理機の外観や内部構成は、実施例に限定されるものではない。
【００２７】
【発明の効果】
以上のように、本発明の現金処理機によれば、勘定日から翌日への日付変更に伴って、データのクリア忘れ及び電源の切り忘れがあっても、日付変更表示に従って所定の操作を行わないと入出金の処理ができないようになっているので、オペレータが誤って入出金の処理をすることを未然に防止することができる。また、日付変更表示により、電源の切り忘れがあっても、明確に日付更新をする必要のあることが分かり、再起動を促されるので、前日の続きとして処理してしまうことがない。
【図面の簡単な説明】
【図１】本発明の現金処理機の外観構成例を示す斜視図である。
【図２】本発明の現金処理機の内部構成例を示すブロック図である。
【図３】本発明の動作原理を説明するための図である。
【図４】待機画面の一例を示す画面図である。
【図５】カード挿入又はコード入力後の画面例を示す画面図である。
【図６】メインメニューの画面例を示す画面図である。
【図７】締上表の出表処理の動作例を示すフローチャートである。
【図８】クリア処理の動作例を示すフローチャートである。
【図９】再起動処理の動作例を示すフローチャートである。
【図１０】現金処理機の正常動作を説明するための図である。
【図１１】現金処理機のデータクリア忘れの動作を説明するための図である。
【図１２】現金処理機の電源切り忘れの動作を説明するための図である。
【図１３】現金処理機のデータクリア忘れ及び電源切り忘れの場合の動作を説明するための図である。
【符号の説明】
１              現金処理機
２              ＣＰＵ
３              ＲＯＭ
４              不揮発性メモリ
１０            束紙幣処理部
２０            バラ紙幣処理部
３０            紙幣処理機
３１            新券出金機
４０            包装硬貨出金機
４１            プリンタ
５０            バラ硬貨処理機
５１            硬貨入金機
５２            表示部
５３            カードリーダ
５５            キーボード
１０１          束紙幣処理部の制御部
２０１          バラ紙幣処理部の制御部
３１１          新券出金機の制御部
４０１          包装硬貨出金機の制御部
５０１          バラ硬貨処理機の制御部
【図１】
0004050888.tif 000002
【図２】
0004050888.tif 000003
【図３】
0004050888.tif 000004
【図４】
0004050888.tif 000005
【図５】
0004050888.tif 000006
【図６】
0004050888.tif 000007
【図７】
0004050888.tif 000008
【図８】
0004050888.tif 000009
【図９】
0004050888.tif 000010
【図１０】
0004050888.tif 000011
【図１１】
0004050888.tif 000012
【図１２】
0004050888.tif 000013
【図１３】
0004050888.tif 000014